(57)【要約】【課題】映像データ出力装置がスクリーンセーバーモード機能を有していない場合でも、映像データ出力装置の映像データが、静止画状態にあることに基づく表示装置の画面の焼き付きをより確実に防止することができる画面焼き付き防止システムを提供する。【解決手段】映像を表示画面３０１に表示する表示装置３００に対して映像データを出力するＡＶ機器２００の映像データが静止画状態にあることを、当該ＡＶ機器２００と相互にデータ通信が可能な制御装置１００が把握し、その制御装置１００のＡＶ機器２００に対する指示によりＡＶ機器２００が静止画状態を解除することが出来る画面焼き付き防止システム１を提供することである。【選択図】図１
2009109731.tif 000002
【特許請求の範囲】
【請求項１】
映像を画面に表示する表示装置に対して映像データを出力する映像データ出力装置と、前記映像データ出力装置に接続され前記映像データ出力装置の動作を制御する制御装置と、の間で双方向に情報の通信を行う画面焼き付き防止システムにおいて、
前記映像データ出力装置は、
自己の動作状態に関する動作状態情報を前記制御装置に送信する動作状態送信手段を備え、
前記制御装置は、
前記動作状態送信手段により送信された前記映像データ出力装置の動作状態情報を取得する取得手段と、
前記取得手段により取得した前記映像データ出力装置の動作状態情報に基づいて所定時間以上継続して一時停止状態にあるか否かを判断する判断手段と、
前記判断手段により所定時間以上継続して一時停止状態にあると判断された場合に、前記映像データ出力装置に対し、所定の画面焼き付き防止動作を実行させるための指示を送信する指示送信手段と、
を備え、
前記映像データ出力装置は、さらに、
前記指示送信手段により送信された指示に基づいて所定の画面焼き付き防止動作を実行する実行手段と、
を備えることを特徴とする画面焼き付き防止システム。
【請求項２】
請求項１記載の画面焼き付き防止システムにおいて、
前記制御装置は、
映像を表示する表示装置に対して映像データを出力する出力部と、
前記出力部による映像データの出力の一時停止状態が所定時間以上継続しているか否かを判断する一時停止判断手段と、
前記一時停止判断手段により一時停止状態が所定時間以上継続していると判断された場合に、所定の画面焼き付き防止動作を実行する焼き付き防止動作実行手段と、
を備えることを特徴とする画面焼き付き防止システム。
【請求項３】
請求項１又は２記載の画面焼き付き防止システムにおいて、
前記指示送信手段により送信する、前記所定の画面焼き付き防止動作を実行させるための指示は、再生状態を停止する指示であることを特徴とする画面焼き付き防止システム。
【請求項４】
請求項１又は２記載の画面焼き付き防止システムにおいて、
前記映像データ出力装置は、
電源部と、
前記電源部のＯＮ状態とＯＦＦ状態を切り替える電源切替手段を備え、
前記指示送信手段により送信する、前記所定の画面焼き付き防止動作を実行させるための指示は、前記映像データ出力装置の前記電源部を前記電源切替手段によりＯＮ状態からＯＦＦ状態に切り替える指示であることを特徴とする画面焼き付き防止システム。
【請求項５】
映像を画面に表示する表示装置に対して映像データを出力する映像データ出力装置と、前記映像データ出力装置に接続され前記映像データ出力装置の動作を制御する制御装置と、の間で双方向に情報の通信を行う画面焼き付き防止システムにおいて、
前記映像データ出力装置は、
自己の動作状態に関する動作状態情報を前記制御装置に送信する動作状態送信手段を備え、
前記制御装置は、
前記動作状態送信手段により送信された前記映像データ出力装置の動作状態情報を取得する取得手段と、
前記取得手段により取得した前記映像データ出力装置の動作状態情報に基づいて所定時間以上継続して一時停止状態にあるか否かを判断する判断手段と、
前記判断手段により所定時間以上継続して一時停止状態にあると判断された場合に、前記映像データ出力装置に対し、再生状態を停止する指示を送信する指示送信手段と、
映像を出力する表示装置に対して映像データを出力する出力部と、
前記出力部による映像データの出力の一時停止状態が所定時間以上継続しているか否かを判断する一時停止判断手段と、
前記一時停止判断手段により一時停止状態が所定時間以上継続していると判断された場合に、所定の画面焼き付き防止動作を実行する焼き付き防止動作実行手段と、
を備え、
前記映像データ出力装置は、さらに、
前記指示送信手段により送信された指示に基づいて、再生状態を停止する動作を実行する実行手段を備えることを特徴とする画面焼き付き防止システム。
【発明の詳細な説明】
【技術分野】
【０００１】
本発明は、画面焼き付き防止システムに関する。
【背景技術】
【０００２】
従来、ＤＶＤ／ＨＤＤプレーヤー等の映像データ出力装置において、コンテンツを最後まで再生した際に、自動的に一時停止状態になり、停止ボタン等を押下しないとそのまま一時停止状態を延々と継続する機器が存在する。
このような映像データ出力装置において、一時停止した場合のスクリーンセーバー機能が付いていないと、プラズマテレビジョン装置等の場合には画面に焼き付きが生じてしまうケースがあった。  
【０００３】
一方、テレビジョン受像機及び画像表示装置において、当該装置に用いられるリモコンの信号を受信する受信部で、ＶＣＲなどの外部機器に用いられるリモコンから送信される信号を受信して、外部機器の動作状態を把握し、ＶＣＲの再生動作中に一時停止状態が継続するとスクリーンセーバーモードに移行できる技術が知られている（例えば、特許文献１参照）。
【０００４】
また、ＤＶＤ一体型テレビジョン受像機において、ＤＶＤディスクの再生中に所定の時間無動作画像が継続すると、ディスクの再生停止、或いはデッキの電源をＯＦＦにするＤＶＤ一体型テレビジョン受像機が知られている（例えば、特許文献２参照）。
【特許文献１】特開２００５−０２７１１２号公報
【特許文献２】特開平１１−００４３９０号公報
【発明の開示】
【発明が解決しようとする課題】
【０００５】
しかしながら、上記特許文献１に開示された技術においては、使用者のリモコン操作により外部装置の動作状態を把握してスクリーンセーバーモードに移行するので、使用者がリモコン操作を行わない場合にはスクリーンセーバーモードに移行することができず、画面の焼き付きを確実に防止することができないという問題があった。
また、上記特許文献２に開示された技術では、テレビジョン受像機とＤＶＤデッキが別個独立の機器として存在している場合、テレビジョン受像機においてＤＶＤの再生状態を把握することが出来ず、ディスクの再生停止、或いはデッキの電源をＯＦＦに出来ないという問題があった。
【０００６】
本発明の課題は、映像データ出力装置がスクリーンセーバーモード機能を有していない場合でも、映像データ出力装置の映像データが、静止画状態にあることに基づく表示装置の画面の焼き付きをより確実に防止することができる画面焼き付き防止システムを提供することである。
【課題を解決するための手段】
【０００７】
上記課題を解決するため、請求項１に記載の発明は、
映像を画面に表示する表示装置に対して映像データを出力する映像データ出力装置と、前記映像データ出力装置に接続され前記映像データ出力装置の動作を制御する制御装置と、の間で双方向に情報の通信を行う画面焼き付き防止システムにおいて、
前記映像データ出力装置は、
自己の動作状態に関する動作状態情報を前記制御装置に送信する動作状態送信手段を備え、
前記制御装置は、
前記動作状態送信手段により送信された前記映像データ出力装置の動作状態情報を取得する取得手段と、
前記取得手段により取得した前記映像データ出力装置の動作状態情報に基づいて所定時間以上継続して一時停止状態にあるか否かを判断する判断手段と、
前記判断手段により所定時間以上継続して一時停止状態にあると判断された場合に、前記映像データ出力装置に対し、所定の画面焼き付き防止動作を実行させるための指示を送信する指示送信手段と、
を備え、
前記映像データ出力装置は、さらに、
前記指示送信手段により送信された指示に基づいて所定の画面焼き付き防止動作を実行する実行手段と、
を備えることを特徴とする。
【０００８】
請求項２に記載の発明は、請求項１記載の画面焼き付き防止システムにおいて、
前記制御装置は、映像を表示する表示装置に対して映像データを出力する出力部と、前記出力部による映像データの出力の一時停止状態が所定時間以上継続しているか否かを判断する一時停止判断手段と、前記一時停止判断手段により一時停止状態が所定時間以上継続していると判断された場合に、所定の画面焼き付き防止動作を実行する焼き付き防止動作実行手段と、
を備えることを特徴とする。
【０００９】
請求項３に記載の発明は、請求項１又は２記載の画面焼き付き防止システムにおいて、前記指示送信手段により送信する、前記所定の画面焼き付き防止動作を実行させるための指示は、再生状態を停止する指示であることを特徴とする。
【００１０】
請求項４に記載の発明は、請求項１又は２記載の画面焼き付き防止システムにおいて、
前記映像データ出力装置は、電源部と、前記電源部のＯＮ状態とＯＦＦ状態を切り替える電源切替手段を備え、前記指示送信手段により送信する、前記所定の画面焼き付き防止動作を実行させるための指示は、前記映像データ出力装置の前記電源部を前記電源切替手段によりＯＮ状態からＯＦＦ状態に切り替える指示であることを特徴とする。
【００１１】
請求項５に記載の発明は、
映像を画面に表示する表示装置に対して映像データを出力する映像データ出力装置と、前記映像データ出力装置に接続され前記映像データ出力装置の動作を制御する制御装置と、の間で双方向に情報の通信を行う画面焼き付き防止システムにおいて、
前記映像データ出力装置は、
自己の動作状態に関する動作状態情報を前記制御装置に送信する動作状態送信手段を備え、
前記制御装置は、
前記動作状態送信手段により送信された前記映像データ出力装置の動作状態情報を取得する取得手段と、
前記取得手段により取得した前記映像データ出力装置の動作状態情報に基づいて所定時間以上継続して一時停止状態にあるか否かを判断する判断手段と、
前記判断手段により所定時間以上継続して一時停止状態にあると判断された場合に、前記映像データ出力装置に対し、再生状態を停止する指示を送信する指示送信手段と、
映像を出力する表示装置に対して映像データを出力する出力部と、
前記出力部による映像データの出力の一時停止状態が所定時間以上継続しているか否かを判断する一時停止判断手段と、
前記一時停止判断手段により一時停止状態が所定時間以上継続していると判断された場合に、所定の画面焼き付き防止動作を実行する焼き付き防止動作実行手段と、
を備え、
前記映像データ出力装置は、さらに、
前記指示送信手段により送信された指示に基づいて、再生状態を停止する動作を実行する実行手段を備えることを特徴とする。
【発明の効果】
【００１２】
本発明によれば、制御装置は、映像データ出力装置より送信される映像データ出力装置の動作状態情報により、映像データ出力装置が所定時間継続して一時停止状態にあると判断すると、映像データ出力装置に対して画面焼き付き防止動作の指示を送信する。そして、映像データ出力装置はその指示を実行する。
したがって、本発明は、映像データ出力装置がスクリーンセーバーモード機能を有していない場合でも、表示装置により表示している映像データ出力装置の映像データに基づく映像が、静止画状態にあることによる画面の焼き付きをより確実に防止することができる画面焼き付き防止システムといえる。
【発明を実施するための最良の形態】
【００１３】
以下、図を参照して、本発明に係る画面焼き付き防止システムの実施形態を詳細に説明する。なお、発明の範囲は、図示例に限定されない。
【００１４】
図１に示すように、画面焼き付き防止システム１は、映像を画面に表示する表示装置３００と、その表示装置３００に接続され、表示装置３００に対して映像データを出力する映像データ出力装置としてのＡＶ機器２００と、そのＡＶ機器２００と双方向にデータ通信が出来るように接続され、ＡＶ機器２００の動作状態を制御するとともに、表示装置３００に接続され、表示装置３００に対して映像データを出力する制御装置１００と、を備えて構成されている。
【００１５】
制御装置１００は、例えば、ＨＤＤプレーヤーから構成され、表示装置３００に対して表示する映像データやスピーカ（図示省略）より出力する音声データから構成される動画データを格納するＨＤＤ部１０１と、動画データの入出力経路を設定して、ＨＤＤ部１０１から取り込んだ動画データを装置の各部に出力するデータプロセッサ１０２と、ＨＤＤ部１０１から出力された動画データに所定の復元処理を行うデコーダ１０３と、デコーダ１０３から出力された映像データや音声データに対して所定の信号出力処理を行う、出力部としての出力インターフェース部１０４と、映像データに対してＯＳＤデータを付加するＯＳＤ（On Screen Display）回路１０５と、入力操作信号を制御部１０７に出力する入力操作部１０６と、制御装置１００の各部を統括制御する制御部１０７と、ＡＶ機器２００と双方向にデータを送受信するための通信部１０８と、現在時刻を計時する計時部１０９と、装置各部を接続する制御バス１１０と、などを備えている。
【００１６】
ＨＤＤ部１０１は、再生処理に用いられる動画データを記憶しており、例えば、ＡＴＡ（AT Attachment）規格を採用し、内蔵されたハードディスク（図示省略）と、ハードディスクに対するデータの記憶或いはハードディスクに記憶された動画データの読み出しを行う磁気ヘッド（図示省略）と、ハードディスクを回転駆動させるとともに、磁気ヘッドをハードディスクの半径方向に移動させるための駆動部（図示省略）等を備えて構成されている。
【００１７】
データプロセッサ１０２は、後述するＣＰＵ１０７ａからの制御出力に基づいて、動画データの入出力経路を設定し、データの入力及び出力を制御する。
具体的には、例えば、使用者により制御装置１００に対する「再生」の指示がなされた場合には、ＨＤＤ部１０１に記憶された動画データを後述のデコーダ１０３に対して出力する。
【００１８】
デコーダ１０３は、例えば、図示は省略するが、セパレート部と、ビデオデコーダと、オーディオデコーダ等を備えて構成されている。
セパレート部は、ＨＤＤ部１０１からデータプロセッサ１０２を介して出力された動画データを映像データ、音声データ等の複数のデータに分離する。また、ビデオデコーダは、セパレート部において分離された映像データを、ＭＰＥＧ方式に従って復元し、オーディオデコーダは、セパレート部において分離された音声データをＭＰＥＧオーディオ方式に従って復元する。
このデコーダ１０３において生成された映像データや音声データは、再生処理においては後述の出力インターフェース部１０４に出力されることとなる。
【００１９】
出力インターフェース部１０４は、例えば、コンポジット端子、Ｓ端子、コンポーネント端子、Ｄ端子等から構成されており、音声出力部１０４ａと映像出力部１０４ｂを備え、再生処理においてデコーダ１０３から入力される動画データに対して各種の出力インターフェース処理を施し、表示装置３００へ音声データ、映像データとして出力する。
【００２０】
ＯＳＤ回路１０５は、動画データを構成する映像データに対して、ＲＯＭ１０７ｃに格納された図示しないＯＳＤデータを合成する処理を行う。
【００２１】
入力操作部１０６は、例えば、「再生」や「停止」などの使用者が制御装置１００の操作を行うための各種キーが備えられており、使用者の押下操作による入力操作キー信号を生成し、その入力操作キー信号を制御部１０７に対して出力する。
【００２２】
制御部１０７は、ＣＰＵ（Central Processing Unit）１０７ａと、ＲＡＭ（Random Access Memory）１０７ｂと、ＲＯＭ（Read Only Memory）１０７ｃ等を備えて構成されている。
【００２３】
ＣＰＵ１０７ａは、制御装置１００の各部を介して入力された入力信号に応じて、ＲＯＭ１０７ｃに格納された各種プログラムを実行するとともに、実行にかかるプログラムに基づいて装置の各部に出力信号を出力することによって、制御装置１００の動作全般を統括制御する。
【００２４】
ＲＡＭ（Random Access Memory）１０７ｂは、例えば、ＣＰＵ１０７ａにより実行される処理プログラム等を展開するためのプログラム格納領域（図示省略）や、入力データや処理プログラムが実行される際に生じる処理結果等を格納するデータ格納領域（図示省略）などを備える。
【００２５】
ＲＯＭ（Read Only Memory）１０７ｃは、例えば、不揮発性メモリからなり、表示装置３００の表示画面３０１に表示するＯＳＤ表示に関するＯＳＤデータが格納されるデータ格納エリアやプログラム格納エリアを有し、プログラム格納エリアには、取得プログラム１０７ｄ、判断プログラム１０７ｅ、指示送信プログラム１０７ｆ、一時停止判断プログラム１０７ｇ、焼き付き防止動作実行プログラム１０７ｈ、等の各種プログラムが格納されている。
【００２６】
取得プログラム１０７ｄは、ＡＶ機器２００の動作状態送信プログラム２０７ｄにより送信されたＡＶ機器の動作状態に関する動作状態情報を取得する機能をＣＰＵ１０７ａに実現させるプログラムである。
つまり、ＣＰＵ１０７ａは、取得プログラム１０７ｄを実行することにより、ＡＶ機器２００に対してＡＶ機器２００の動作状態情報を送信する要求を行い、ＡＶ機器２００のＣＰＵ２０７ａがその要求に応答し、動作状態送信プログラム２０７ｄを実行することにより動作状態情報を制御装置１００に対して送信した場合、当該動作状態情報を、通信部１０８を介して取得する取得手段として機能する。具体的には、例えば、通信部１０８及びＡＶ機器２００の通信部２０８がＩＥＥＥ１３９４規格のインターフェースから構成され、1394 TRADE ASSOCIATIONに規定されるＡＶ／Ｃコマンドが利用可能な場合、ＣＰＵ１０７ａは、計時部１０９にて計時される所定の時間間隔でＡＶ機器２００に対してStatus commandを発行し、ＡＶ機器２００の動作状態情報の送信要求を行う。そして、当該要求に対しＡＶ機器２００が動作状態情報を送信可能な場合、ＡＶ機器２００はStableレスポンスを生成し制御装置１００に返信するので、制御装置１００は、そのStableレスポンスを受信することにより、ＡＶ機器２００の動作状態を知ることが出来る。
【００２７】
判断プログラム１０７ｅは、ＡＶ機器２００の動作状態情報に基づいて、所定時間以上継続してＡＶ機器２００が一時停止状態にあるか否かを判断する機能をＣＰＵ１０７ａに実現させるプログラムである。
つまり、ＣＰＵ１０７ａは、判断プログラム１０７ｅを実行することにより、取得プログラム１０７ｄを実行し最初に一時停止状態の動作状態情報が取得された時点より、所定時間が経過するまでに、一時停止状態とは異なるＡＶ機器２００の動作状態情報が取得されたか否かを判断する判断手段として機能する。
【００２８】
指示送信プログラム１０７ｆは、判断プログラム１０７ｅの実行により、ＡＶ機器２００の動作状態情報に基づいて所定時間以上継続して一時停止状態にあると判断した場合に、ＡＶ機器２００に対して、画面焼き付き防止動作を実行させるための指示を送信する機能をＣＰＵ１０７ａに実現させるプログラムである。
つまり、ＣＰＵ１０７ａは、指示送信プログラム１０７ｆを実行することにより、例えば、上述の取得プログラム１０７ｄのように、1394 TRADE ASSOCIATIONに規定されるＡＶ／Ｃコマンドが利用可能な場合、ＡＶ機器２００に対してControl Commandを発行し、再生状態を停止する指示として「ＳＴＯＰ」（停止）、ＡＶ機器２００の電源部２０９をＯＦＦ状態に切り替える指示として「ＰＯＷＥＲ」（電源のＯＮ／ＯＦＦの切り替え）、などを送信する送信手段として機能する。
【００２９】
一時停止判断プログラム１０７ｇは、制御装置１００の動作状態が、所定時間以上継続して一時停止状態にあるか否かを判断する機能をＣＰＵ１０７ａに実現させるプログラムである。
つまり、ＣＰＵ１０７ａは、一時停止判断プログラム１０７ｇを実行することにより、ＲＯＭ１０７ｃに記憶されたキー信号変換テーブル（図示省略）により判別される自己の動作状態が、一時停止状態にあると判断した場合に、計時部１０９により計時される当該時点より所定時間が経過するまで、一時停止状態を継続しているか否かを判断する判断手段として機能する。ここで、キー信号変換テーブルは、入力操作部１０６の各入力操作キーのキー種別毎に割り当てられたキー情報が記憶されており、例えば、使用者が入力操作部１０６の一時停止キーを選択した場合、当該キーの信号が制御部１０７に出力されるので、ＣＰＵ１０７ａは当該テーブルに基づいて、その一時停止状態を判別することが出来る。
【００３０】
焼き付き防止動作実行プログラム１０７ｈは、一時停止判断プログラム１０７ｇを実行することにより、所定時間継続して制御装置１００が一時停止状態にあると判断した場合に、所定の画面焼き付き防止動作を実行する機能をＣＰＵ１０７ａに実現させるプログラムである。
つまり、ＣＰＵ１０７ａは、一時停止判断プログラム１０７ｇを実行することにより、所定時間継続して制御装置１００が一時停止状態にあると判断した場合に、焼き付き防止動作実行プログラム１０７ｈを実行することにより、画面焼き付き防止の措置を実行する手段として機能する。ここで、画面焼き付き防止の措置とは、例えば、動画データの再生を停止する、自己の電源部（図示省略）をＯＮ状態からＯＦＦ状態に切り替える、又は、デコーダ１０３と映像出力部１０４ｂの間に配置されるスクリーンセーバ生成部（図示省略）によりスクリーンセーバ画面を生成し、表示装置３００の表示画面３０１を介して当該スクリーンセーバ画面を表示させる、などの措置である。
【００３１】
通信部１０８は、例えば、ＵＳＢポート、ＩＥＥＥ１３９４規格のインターフェース等から構成されており、LANケーブルやＩＥＥＥ１３９４ケーブルを介して制御装置１００とＡＶ機器２００は相互にデータ通信が可能となる。
【００３２】
計時部１０９は、現在時刻を計時し、計時した時刻データを、制御部１０７に対して出力する。
【００３３】
ＡＶ機器２００は、例えば、ＤＶＤプレーヤーから構成され、表示装置３００より表示する、動画データの記録媒体としてのＤＶＤを再生するＤＶＤドライブ２０１と、動画データの入出力経路を設定して、ＤＶＤドライブ２０１から取り込んだ動画データをデコーダに出力するデマルチプレクサ２０２と、ＤＶＤドライブ２０１から出力された動画データに所定の復元処理を行うデコーダ２０３と、デコーダ２０３から出力された映像データや音声データに対して所定の信号出力処理を行う出力インターフェース部２０４と、映像データに対してＯＳＤデータを付加するＯＳＤ（On Screen Display）回路２０５と、使用者のキー操作などによる入力操作信号を受信するとともに、その入力操作信号を制御部２０７に出力する入力操作部２０６と、ＡＶ機器２００の各部を統括制御する制御部２０７と、制御装置１００と双方向にデータを送受信するための通信部２０８と、ＡＶ機器２００の電源部２０９と、装置各部を接続する制御バス２１０と、などを備えている。
【００３４】
ＤＶＤドライブ２０１は、ＤＶＤを回転させるためのディスクモータ（図示省略）と、回転しているＤＶＤから所定のデータを読み書きするためのヘッド部（図示省略）と、等から構成されており、後述するＣＰＵ２０７ａから入力される制御信号に従って、デマルチプレクサ２０２に出力する。
【００３５】
デマルチプレクサ２０２は、後述するＣＰＵ２０７ａから入力される制御信号に従って、例えば、ＤＶＤドライブ２０１から入力された所定の動画データを、音声データと、映像データと、等に分離して、デコーダ２０３に出力する。
【００３６】
デコーダ２０３は、デマルチプレクサ２０２から入力された映像データを、ＭＰＥＧ方式に従って復元し、音声データをＭＰＥＧオーディオ方式に従って復元する。
このデコーダ２０３において生成された映像データや音声データは、再生処理においては後述の出力インターフェース部２０４に出力されることとなる。
【００３７】
出力インターフェース部２０４は、例えば、コンポジット端子、Ｓ端子、コンポーネント端子、Ｄ端子等から構成されており、音声出力部２０４ａと映像出力部２０４ｂを備え、再生処理においてデコーダ２０３から入力される動画データに対して各種の出力インターフェース処理を施し、表示装置３００へ音声データ、映像データとして出力する。
【００３８】
ＯＳＤ回路２０５は、動画データを構成する映像データに対して、ＲＯＭ２０７ｃに格納された図示しないＯＳＤデータを合成する処理を行う。
【００３９】
入力操作部２０６は、例えば、「再生」や「停止」などの使用者がＡＶ機器２００の操作を行うための各種キーが備えられており、使用者の押下操作による入力操作キー信号を生成し、その入力操作キー信号を制御部２０７に対して出力する。
【００４０】
制御部２０７は、ＣＰＵ（Central Processing Unit）２０７ａと、ＲＡＭ（Random Access Memory）２０７ｂと、ＲＯＭ（Read Only Memory）２０７ｃ等を備えて構成されている。
【００４１】
ＣＰＵ２０７ａは、ＡＶ機器２００の各部を介して入力された入力信号や、入力操作部２０６の各種キーの押下操作によって入力された入力操作信号等に応じて、ＲＯＭ２０７ｃに格納された各種プログラムを実行するとともに、実行にかかるプログラムに基づいて装置の各部に出力信号を出力することによって、ＡＶ機器２００の動作全般を統括制御する。
【００４２】
ＲＡＭ（Random Access Memory）２０７ｂは、例えば、ＣＰＵ２０７ａにより実行される処理プログラム等を展開するためのプログラム格納領域（図示省略）や、入力データや処理プログラムが実行される際に生じる処理結果等を格納するデータ格納領域（図示省略）などを備える。
【００４３】
ＲＯＭ（Read Only Memory）２０７ｃは、例えば、不揮発性メモリからなり、表示装置３００の表示画面３０１に表示するＯＳＤ表示に関するＯＳＤデータが格納されるデータ格納エリアやプログラム格納エリアを有し、プログラム格納エリアには、動作状態送信プログラム２０７ｄ、実行プログラム２０７ｅ、電源切替プログラム２０７ｆ等の各種プログラムが格納されている。
【００４４】
動作状態送信プログラム２０７ｄは、ＡＶ機器２００の動作状態情報を、制御装置１００に対して送信する機能をＣＰＵ２０７ａに実現させるプログラムである。
つまり、ＣＰＵ２０７ａは、動作状態送信プログラム２０７ｄを実行することにより、制御装置１００からの動作状態情報の送信要求に応答して自己の動作状態に関する動作状態情報を送信する送信手段として機能する。具体的には、例えば、制御装置１００の通信部１０８及び通信部２０８がＩＥＥＥ１３９４規格のインターフェースから構成され、1394 TRADE ASSOCIATIONに規定されるＡＶ／Ｃコマンドが利用可能な場合、制御装置１００のＣＰＵ１０７ａが取得プログラム１０７ｄを実行すると、前述のようにＡＶ機器２００に対してStatus commandが発行される。そして、ＣＰＵ２０７ａは、動作状態送信プログラム２０７ｄを実行し、NOT IMPLEMENTEDレスポンス、REJECTEDレスポンス、IN TRANSITIONレスポンス、STABLEレスポンスのいずれを制御装置１００に対して送信するかを判断し、動作状態情報を送信可能な場合には、自己の動作状態を表示するSTABLEレスポンスを制御装置１００に対して送信する。
【００４５】
実行プログラム２０７ｅは、制御装置１００から送信された指示に基づいて所定の画面焼き付き防止動作を実行する機能をＣＰＵ２０７ａに実現させるプログラムである。
つまり、ＣＰＵ２０７ａは、実行プログラム２０７ｅを実行することにより、例えば、上述の動作状態送信プログラム２０７ｄのように、1394 TRADE ASSOCIATIONに規定されるＡＶ／Ｃコマンドが利用可能な場合、制御装置１００の指示送信プログラム１０７ｆにより要求されたControl Commandを実行可能か否かが判断され、NOT IMPLEMENTEDレスポンス、REJECTEDレスポンス、INTERIMレスポンス、ACCEPTEDレスポンスのいずれかを制御装置１００に対して送信する。そして、ＣＰＵ２０７ａは、当該Control Commandを実行可能と判断した場合は、ACCEPTEDレスポンスを制御装置１００に対して返信し、「ＳＴＯＰ」（停止）、「ＰＯＷＥＲ」（電源のＯＮ状態とＯＦＦ状態の切り替え）などの各指示の内容を実行する。
よって、ＣＰＵ２０７ａは、かかる実行プログラム２０７ｅを実行することにより、実行手段として機能する。
【００４６】
電源切替プログラム２０７ｆは、ＡＶ機器２００の電源部２０９のＯＮ状態とＯＦＦ状態を切り替える機能をＣＰＵ２０７ａに実現させるプログラムである。
つまり、ＣＰＵ２０７ａは、電源切替プログラム２０７ｆを実行することにより、実行プログラム２０７ｅを実行する際に、その実行内容が電源をＯＮ状態からＯＦＦ状態に切り替えることであった場合、その実行プログラム２０７ｅが実行された後、電源部２０９をＯＮ状態からＯＦＦ状態に切り替える電源制御信号を、電源部２０９に出力する電源切替手段として機能する。
【００４７】
通信部２０８は、例えば、ＵＳＢポート、ＩＥＥＥ１３９４規格のインターフェース等から構成されており、LANケーブルやＩＥＥＥ１３９４ケーブルを介してＡＶ機器２００と制御装置１００が相互にデータ通信が可能となる。
【００４８】
電源部２０９は、ＡＶ機器２００の各部に電力の供給を行う。また、制御部２０７からの電源制御信号に基づいて電源部２０９のＯＮ状態／ＯＦＦ状態の切り替えを行うことが出来る。
【００４９】
表示装置３００は、例えば、プラズマディスプレイ装置で構成されており、制御装置１００又はＡＶ機器２００から送信される動画データに基づく画像を、表示画面３０１に表示する。
表示画面３０１は、例えば、プラズマディスプレイ用の画面から構成されている。そのため、表示画面３０１の特定箇所がその周囲より輝度の高い静止画を長時間写し出した場合、明るい部分は暗い部分と比較すると発光量が多く、蛍光体の劣化が他の部分より早くなることで輝度低下を招き、周囲の劣化していない部分との輝度差が大きくなり、画面焼き付きが生じるおそれがある。
【００５０】
＜画面焼き付き防止処理＞
次に、画面焼き付き防止システム１の画面焼き付き防止処理について、図２及び図３のフローチャートを参照して説明する。ただし、図２及び図３ではＡＶ機器２００が表示装置３００に対して動画データを出力する場合を対象としており、制御装置１００は表示装置３００に対して動画データの出力を行っていないものとする。
【００５１】
まず、使用者がＡＶ機器２００の電源部２０９、制御装置１００の電源部（図示省略）をそれぞれＯＦＦ状態からＯＮ状態に切り替えたものとする（ステップＳ１、ステップＳ２）。
【００５２】
次いで、制御装置１００のＣＰＵ１０７ａは自己の電源部がＯＮ状態になると、取得プログラム１０７ｄを実行することにより、所定の時間間隔でＡＶ機器２００にStatus Commandを発行し動作状態情報の送信要求を行い、当該送信要求に対して、ＡＶ機器２００のＣＰＵ２０７ａが動作状態送信プログラム２０７ｄを実行することにより所定のレスポンスを制御装置１００に送信することで、ＡＶ機器２００の動作状態情報の取得を開始する（ステップＳ３）。
【００５３】
次いで、使用者がＡＶ機器２００の入力操作部２０６を操作することにより、ＡＶ機器２００の動画データを再生し、表示装置３００の表示画面３０１により動画データの表示が行われるものとする（ステップＳ４）。
【００５４】
次いで、ＡＶ機器２００の再生処理が開始された状態で、制御装置１００のＣＰＵ１０７ａが取得プログラム１０７ｄを実行することにより、制御装置１００から動作状態情報の送信要求がなされると（ステップＳ５）、ＡＶ機器２００のＣＰＵ２０７ａは動作状態送信プログラム２０７ｄを実行することにより、動作状態情報のレスポンスを制御装置１００に送信する（ステップＳ６）。当該レスポンスを制御装置１００が受信することにより、ＡＶ機器２００の動作状態情報を取得することが出来る（ステップＳ７）。
【００５５】
次いで、制御装置１００のＣＰＵ１０７ａは、判断プログラム１０７ｅを実行することにより、取得したＡＶ機器２００の動作状態情報が「一時停止」状態情報であったか否かの判断を行い（ステップＳ８）、「一時停止」状態情報で無いと判断した場合は、ステップＳ５以降の処理を繰り返し行う（ステップＳ８；Ｎｏ）。
【００５６】
一方で、取得したＡＶ機器２００の動作状態情報が「一時停止」状態情報であると判断した場合（ステップＳ８；Ｙｅｓ）、制御装置１００のＣＰＵ１０７ａは、計時部１０９により計時を開始する（ステップＳ９）。
【００５７】
次いで、制御装置１００のＣＰＵ１０７ａは、ステップＳ９により計時を開始した時点より、所定の時間間隔で、ＡＶ機器２００に対して動作状態情報の送信要求を行い（ステップＳ１０）、ＡＶ機器２００のＣＰＵ２０７ａは動作状態送信プログラム２０７ｄを実行することにより、動作状態情報のレスポンスを制御装置１００に送信する（ステップＳ１１）。当該レスポンスを制御装置１００が受信することにより、ＡＶ機器２００の動作状態情報を取得することが出来る（ステップＳ１２）。
【００５８】
次いで、制御装置１００のＣＰＵ１０７ａは、取得したＡＶ機器２００の動作状態情報が「一時停止」状態情報であったか否かの判断を行い（ステップＳ１３）、「一時停止」状態情報で無いと判断した場合、即ちＡＶ機器２００の一時停止状態が解除された場合、ステップＳ５以降の処理を繰り返し行う（ステップＳ１３；Ｎｏ）。
【００５９】
一方で、取得したＡＶ機器２００の動作状態情報が「一時停止」状態情報であると判断した場合（ステップＳ１３；Ｙｅｓ）、制御装置１００のＣＰＵ１０７ａは、ステップＳ９にて計時を開始してから所定時間が経過しているか否かの判断を行い（ステップＳ１４）、所定時間が経過していないと判断した場合は、ステップＳ１０以降の処理を繰り返し実行する（ステップＳ１４；Ｎｏ）。
【００６０】
次いで、制御装置１００のＣＰＵ１０７ａが、所定時間が経過したと判断した場合（ステップＳ１４；Ｙｅｓ）、指示送信プログラム１０７ｆを実行することにより、ＡＶ機器２００に対してＡＶ／ＣコマンドのControl Commandを発行し、画面焼き付き防止動作の指示を送信する（ステップＳ１５）。
【００６１】
次いで、ＡＶ機器２００のＣＰＵ２０７ａは、制御装置１００より画面焼き付き防止動作の指示を受け取ると（ステップＳ１６）、実行プログラム２０７ｅを実行することにより、当該指示に対して実行可能か否かが判断され、制御装置１００に対して所定のレスポンスが送信される（ステップＳ１７）。
【００６２】
次いで、制御装置１００のＣＰＵ１０７ａは、当該レスポンスを取得し（ステップＳ１８）、当該レスポンスがACCEPTEDレスポンスであるか否かを判断する（ステップＳ１９）。
【００６３】
制御装置１００の取得したレスポンスがACCEPTEDレスポンスであると判断した場合は、制御装置１００のＣＰＵ１０７ａは、画面焼き付き防止処理を続行する（ステップＳ１９；Ｙｅｓ）。一方で、制御装置１００の取得したレスポンスがACCEPTEDレスポンスでないと判断した場合は、制御装置１００のＣＰＵ１０７ａは他の画面焼き付き防止動作の指示をＡＶ機器２００に送信し、ステップＳ１５以降の処理を繰り返す（ステップＳ１９；Ｎｏ）。
【００６４】
次いで、制御装置１００のＣＰＵ１０７ａが画面焼き付き防止処理を続行する場合（ステップＳ１９；Ｙｅｓ）、ＡＶ機器２００のＣＰＵ２０７ａは、実行プログラム２０７ｅを実行することにより、例えば、動画データの再生を停止する、又は電源切替プログラム２０７ｆを実行することによりＡＶ機器２００の電源部２０９をＯＮ状態からＯＦＦ状態に切り替える、などの画面焼き付き防止動作を実行する（ステップＳ２０）。
そして、当該画面焼き付き防止動作の実行により、表示装置３００の表示画面３０１では、静止画の表示が終了し、画面焼き付きの発生を防止することが出来る。
【００６５】
＜制御装置画面焼き付き防止処理＞
次に、制御装置１００が表示装置３００に対して動画データの出力を行っている場合の、画面焼き付き防止システム１の画面焼き付き防止処理について、図４のフローチャートを参照して説明する。
【００６６】
まず、使用者が制御装置１００の電源部（図示省略）をＯＦＦ状態からＯＮ状態にしたものとする（ステップＳ１０１）。
【００６７】
次いで、使用者が制御装置１００の入力操作部１０６を操作することにより、制御装置１００の動画データを再生し、表示装置３００の表示画面３０１により動画データの表示が行われるものとする（ステップＳ１０２）。
【００６８】
次いで、使用者が制御装置１００の入力操作部１０６を操作することにより、再生中の動画データの一時停止を行うと、制御装置１００は、表示装置３００の表示画面３０１により一時停止処理を行った時点での静止画の表示を行う（ステップＳ１０３）。
【００６９】
次いで、制御装置１００のＣＰＵ１０７ａは一時停止判断プログラム１０７ｇを実行することにより、計時部１０９により計時を開始し、一時停止状態が所定時間継続するか否かの判断を行う（ステップＳ１０４）。
【００７０】
次いで、制御装置１００のＣＰＵ１０７ａは一時停止状態が所定時間継続しなかったと判断した場合、すなわち、所定時間内に入力操作部１０６より「一時停止」信号以外の信号を受信したと判断した場合（ステップＳ１０５；Ｎｏ）、ステップＳ１０３以降の処理を繰り返し行う。
【００７１】
一方で、制御装置１００のＣＰＵ１０７ａは一時停止状態が所定時間継続したと判断した場合、すなわち、所定時間内に入力操作部１０６より「一時停止」信号以外の信号を受信しなかった場合（ステップＳ１０５；Ｙｅｓ）、焼き付き防止動作実行プログラム１０７ｈを実行することにより、例えば、動画データの再生を停止する、又は制御装置１００の電源をＯＮ状態からＯＦＦ状態に切り替える、スクリーンセーバ画面を表示装置３００の表示画面３０１に表示させる、などの画面焼き付き防止動作を実行する（ステップＳ１０６）。
そして、当該画面焼き付き防止動作の実行により、表示装置３００の表示画面３０１では、静止画の表示が終了し、画面焼き付きの発生を防止することが出来る。
【００７２】
以上のように、本発明にかかる画面焼き付き防止システム１において、制御装置１００がＡＶ機器２００の動作状態を所定の時間間隔で取得し、当該動作状態が所定時間継続して一時停止状態であった場合、制御装置１００からＡＶ機器２００へと画面焼き付き防止動作を実行させるための指示が送信され、ＡＶ機器２００は当該指示に基づいて画面焼き付き防止動作を実行する。
したがって、本発明は、ＡＶ機器２００がスクリーンセーバーモード機能を有していない場合でも、表示装置３００により表示しているＡＶ機器２００の映像データが、静止画状態にあることに基づく画面の焼き付きをより確実に防止することができる画面焼き付き防止システムといえる。
【００７３】
つまり、画面焼き付き防止システム１は、ＡＶ機器２００が表示装置３００の表示画面３０１にて出力する映像を、ＡＶ機器２００とは独立した制御装置１００が監視し、表示画面３０１の静止画状態の継続を防止するため、ＡＶ機器２００に固有のスクリーンセーバーモードが存在しない場合の画面焼き付き防止を実現し、又はスクリーンセーバーモードが存在している場合であっても、ＡＶ機器２００と制御装置１００による二重の画面焼き付き防止処理によって、より確実に画面焼き付きの発生を防止することが出来る。
【００７４】
また、当該画面焼き付き防止システム１を構成する制御装置１００は、出力インターフェース部１０４を介して映像データを表示装置３００に出力し、その自己が出力する動画データの一時停止状態が継続することによる画面焼き付きを防止することが出来る。
【００７５】
つまり、当該画面焼き付き防止システム１を構成する制御装置１００は、自己の動作状態に関して画面の焼き付きを防止する機能を有しているので、その機能を利用するだけで他のＡＶ機器２００の動作状態を監視できることとなって、画面焼き付き防止システム１はシステム全体として、さほどコストをかけることなく実現することが出来る。
【００７６】
また、当該画面焼き付き防止システム１における画面焼き付き防止動作は、ＡＶ機器２００の再生状態を停止する動作とすることが出来る。
【００７７】
つまり、ＡＶ機器２００の再生状態を停止する動作を実行することにより、表示画面３０１に静止画が継続して表示されることを防止することが出来る。
【００７８】
また、当該画面焼き付き防止システム１における画面焼き付き防止動作は、ＡＶ機器２００の電源部２０９をＯＮ状態からＯＦＦ状態に切り替える動作とすることが出来る。
【００７９】
つまり、ＡＶ機器２００の電源部２０９をＯＮ状態からＯＦＦ状態に切り替える動作を実行することにより、表示装置３００の表示画面３０１に静止画が継続して表示されることを防止することが出来、更に静止画を表示した状態が継続することによるＡＶ機器２００の電力の浪費を防止することができる。
【００８０】
なお、本発明にかかる制御装置１００／ＡＶ機器２００はＨＤＤプレーヤー／ＤＶＤプレーヤーに限定されるものではなく、例えば、デジタルテープレコーダなどの出力装置を介して映像を出力するものであり、制御装置１００とＡＶ機器２００が双方向にデータの通信を行えるものであればよい。また、本発明にかかる表示装置３００は、プラズマディスプレイ装置に限定されるものではなく、例えば、ＣＲＴディスプレイ装置のように画面焼き付きの発生し得る映像を出力できる出力装置であればよい。
【図面の簡単な説明】
【００８１】
【図１】本発明にかかる画面焼き付き防止システムの要部構成を示すブロック図である。
【図２】本発明における画面焼き付き防止処理の実行による動作を説明するためのフローチャートである。
【図３】本発明における画面焼き付き防止処理の実行による動作を説明するためのフローチャートである。
【図４】本発明における制御装置の画面焼き付き防止処理の実行による動作を説明するためのフローチャートである。
【符号の説明】
【００８２】
１            画面焼き付き防止システム
１００        制御装置
１０４        出力インターフェース部（出力部）
１０７        制御部
１０７ａ      ＣＰＵ（取得手段、判断手段、指示送信手段、一時停止判断手段、焼き付き防止動作実行手段）
１０７ｃ      ＲＯＭ
１０７ｄ      取得プログラム（取得手段）
１０７ｅ      判断プログラム（判断手段）
１０７ｆ      指示送信プログラム（指示送信手段）
１０７ｇ      一時停止判断プログラム（一時停止判断手段）
１０７ｈ      焼き付き防止動作実行プログラム（焼き付き防止動作実行手段）
１０８        通信部
２００        ＡＶ機器（映像データ出力装置）
２０７        制御部
２０７ａ      ＣＰＵ（動作状態送信手段、実行手段、電源切替手段）
２０７ｃ      ＲＯＭ
２０７ｄ      動作状態送信プログラム（動作状態送信手段）
２０７ｅ      実行プログラム（実行手段）
２０７ｆ      電源切替プログラム（電源切替手段）
２０８        通信部
２０９        電源部
３００        表示装置
【図１】
2009109731.tif 000003
【図２】
2009109731.tif 000004
【図３】
2009109731.tif 000005
【図４】
2009109731.tif 000006